【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】  血管に導入されて該血管から塞栓物質を濾過する中空の血管挿入装置に挿入されるモジュラー濾過装置であって、当該モジュラー濾過装置は、
基端部と、解除機構を含む末端部と、を有するシャフトと、
シャフト末端部の解除機構に取外可能に取り付けられ、収縮状態と拡張状態との間で調節可能で、直径および内部領域を有するアジャスタブルフィルタフレームと、
アジャスタブルフィルタフレームに取り付けられ、塞栓物質を捕獲するフィルタメッシュと、を備えており、
当該モジュラー濾過装置は、上記中空の血管挿入装置に取外可能に挿入でき、中空の血管挿入装置を通して血管内に挿入されるとき、上記アジャスタブルフィルタフレームはその直径を調節して血管内腔に適合させ、
上記アジャスタブルフィルタフレームおよび該アジャスタブルフィルタフレームに取り付けられたフィルタメッシュは、上記シャフトから取外可能にであり得る、モジュラー濾過装置。
【請求項２】  上記シャフトの末端部を受け入れて、アジャスタブルフレームおよび該アジャスタブルフレームに取り付けられたフィルタメッシュを保護するための内腔部を有するチューブ状カートリッジをさらに備えており、当該チューブ状カートリッジは、上記中空の血管挿入装置に取外可能に挿入できる、請求項１記載のモジュラー濾過装置。
【請求項３】  上記シャフトは、楕円形、四角形、または三角形のいずれかの断面形状を有しており、
上記チューブ状カートリッジの内腔部は、シャフトの上記断面形状に適合して、シャフトがチューブ状カートリッジ内で回転するのを防止する、請求項２記載のモジュラー濾過装置。
【請求項４】  血管に導入されて該血管から塞栓物質を濾過する中空の血管挿入装置に挿入されるモジュラー濾過装置であって、当該モジュラー濾過装置は、
基端部および末端部を有するシャフトと、
シャフト末端部付近に配置され、収縮状態と拡張状態との間で調節可能で、直径および内部領域を有するアジャスタブルフィルタフレームと、
上記アジャスタブルフィルタフレームが血管の内腔部に自動的に自己適合するように、当該アジャスタブルフィルタフレームと連動するフレームサイズ調節機構と、
アジャスタブルフィルタフレームに取り付けられ、塞栓物質を捕獲するフィルタメッシュと、
を備えており、
当該モジュラー濾過装置は、上記中空の血管挿入装置に取外可能に挿入でき、中空の血管挿入装置を通して動脈内に挿入されるとき、上記フレームサイズ調節機構がアジャスタブルフィルタフレームの直径を調節して血管内腔に適合させる、モジュラー濾過装置。
【請求項５】  上記シャフトの末端部を受け入れて、アジャスタブルフィルタフレームおよび該アジャスタブルフィルタフレームに取り付けられたフィルタメッシュを保護するための内腔部を有するチューブ状カートリッジをさらに備えており、当該チューブ状カートリッジは、上記中空の血管挿入装置に取外可能に挿入できる、請求項４記載のモジュラー濾過装置。
【請求項６】  上記シャフトは、楕円形、四角形、または三角形のいずれかの断面形状を有しており、
上記チューブ状カートリッジの内腔部は、シャフトの上記断面形状に適合して、シャフトがカートリッジ内で回転するのを防止する、請求項５記載のモジュラー濾過装置。
【請求項７】  上記チューブ状カートリッジは、シャフトとカートリッジとの間に止血シールを提供する、請求項５記載のモジュラー濾過装置。
【請求項８】  上記フレームサイズ調節機構は、アジャスタブルフィルタフレームを血管内腔部内へ前進させるとき、自動調節される、請求項４記載のモジュラー濾過装置。
【請求項９】  上記フレームサイズ調節機構は、シャフトと連動する外部操作機構に連結されており、
使用において、外部操作機構が操作されて、フレームの径が血管内腔部のサイズに適合するよう調節される、請求項４記載のモジュラー濾過装置。
【請求項１０】  上記アジャスタブルフィルタフレームが基端部領域および末端部領域を備える、請求項４記載のモジュラー濾過装置であって、当該モジュラー濾過装置は、
基端部と、末端部と、断面形状と、を有する片持ち梁をさらに備え、
片持ち梁の末端部は、アジャスタブルフィルタフレームの末端部領域と連動し、
片持ち梁の基端部は、上記シャフトの末端部と連動する、モジュラー濾過装置。
【請求項１１】  上記アジャスタブルフィルタフレームの基端部領域は、シャフトの末端部と連動している、請求項１０記載のモジュラー濾過装置。
【請求項１２】  上記アジャスタブルフィルタフレームの基端部領域は、片持ち梁の基端部と連動している、請求項１０記載のモジュラー濾過装置。
【請求項１３】  上記片持ち梁の基端部は、上記シャフトの末端部に連結されている、請求項１０記載のモジュラー濾過装置。
【請求項１４】  上記シャフトは、基端部から末端部の開口へと延びる内腔部を有しており、
片持ち梁の基端部は、上記シャフトの末端部の開口内へとスライド挿入可能である、請求項１０記載のモジュラー濾過装置。
【請求項１５】  上記片持ち梁が楕円形、四角形、または三角形のいずれかの断面形状を有しており、フィルタシャフト末端部の開口が、片持ち梁の上記断面形状に適合する形状であり、
使用において、シャフト末端部の開口の形状と、片持ち梁の断面形状とが、シャフト内腔部内での片持ち梁の回転を防止する、請求項１４記載のモジュラー濾過装置。
【請求項１６】  上記片持ち梁の断面形状が楕円である、請求項１５記載のモジュラー濾過装置。
【請求項１７】  上記片持ち梁の断面形状が四角である、請求項１５記載のモジュラー濾過装置。
【請求項１８】  上記シャフトの末端部を受け入れて、アジャスタブルフィルタフレームおよび該アジャスタブルフィルタフレームに取り付けられたフィルタメッシュを保護するチューブ状カートリッジをさらに備えており、当該チューブ状カートリッジは、上記中空の血管挿入装置に取外可能に挿入できる、請求項１０記載のモジュラー濾過装置。
【請求項１９】  上記フィルタフレームは、
フィルタシャフトの末端部に連結された第１端部と、第２端部と、第１長さと、を備えた固定部分と、
フィルタシャフトの末端部に連結された第１端部と、第２端部と、第２長さと、を備えた可動部分と、を備え、
第２長さは、第１長さよりも長く、
上記サイズ調節機構がさらに備えるスリップジョイントは、第１端部と、第２端部と、第１端部の開口から第２端部の開口まで延在する内腔部と、を備え、
第１端部は、該フレームの上記固定部分の第２端部に連結され、
スリップジョイントの第２端部は、該フレームの上記可動部分の第２端部をスライド可能に受け入れ、
可動部分の第２端部は，スリップジョイントを通してスライド挿入可能であって、シャフトの末端部に連結されており、
使用において、該フレームの上記可動部分は、スリップジョイント内へとスライドしてフレームの内部領域内に萎むことで収縮し、スリップジョイント外へとスライドすることで拡張し、フレームが導入される血管内腔のサイズへと自己調節する、請求項８記載のモジュラー濾過装置。
【請求項２０】  上記フィルタフレームが、固定端部および調節端部を備えており、
上記サイズ調節機構がさらに備えるスリップジョイントは、基端部と、末端部と、基端部の開口から末端部の開口まで延びる内腔部と、を備え、当該スリップジョイントは、フィルタシャフトと連動しており、
スリップジョイントの末端部は、フレームの固定端部に回動可能に連結されており、
スリップジョイントの末端部の開口は、フレームの調節端部をスライド可能に受け入れ、
フレームの調節端部は、スリップジョイントの末端部内にスライド挿入可能であり、フィルタのシャフトに沿って前進可能であり、
使用において、フレームの調節端部が手動で末端側へと押されるか、基端側へと引かれるかして、これにより、フレームがスリップジョイント内へと、またはスリップジョイント外へとスライドし、フレームが導入される血管の内腔サイズへと調節する、請求項９記載のモジュラー濾過装置。
【請求項２１】  上記フィルタフレームが、第１端部と、第２端部と、両端部間の長さと、を有し、
上記フィルタシャフトが、上記基端部の開口から末端部の開口まで延びる内腔部をさらに備え、末端部の開口が、フィルタフレームの第１端部および第２端部をスライド可能に受け入れ、
フレームの両端がフィルタシャフトの末端部開口内にスライド挿入され、シャフトの内腔部を貫通して基端部の開口から出ることが可能であり、
使用において、フィルタフレームの端部が、基端側へと引かれるか、末端側へと押されるかして調節され、これにより、フレームが導入される血管の内腔サイズへとフレームを調節する、請求項９記載のモジュラー濾過装置。
【請求項２２】  上記フレームが、上記フレーム長さのほぼ中央に配置されて当該フレーム長さを２つの部分に分割するヒンジをさらに備えており、
使用において、フレーム端部が押されるか、引かれるかしたときに、各フレーム部分がヒンジ周りに回動して、これにより、フレームが導入される血管のサイズへとフレームを調節する、請求項２１記載のモジュラー濾過装置。
【請求項２３】  上記フレームが、上記フレーム長さのほぼ中央に配置された平坦な安定化プレートをさらに備えており、当該安定化プレートを含む面は、フレームの内部領域を含む面と直交しており、
使用において、安定化プレートがフレームを血管内壁に固定して、フレームサイズを調節すべくフレーム端部が押されたり引かれたりしたときに、フレームが血管に沿って揺動したり移動したりすることを防止する、請求項２１記載のモジュラー濾過装置。
【請求項２４】  上記フレームが、開口の両側に配置された端部と、両端部間の長さと、を有するオープンループと、
それぞれが末端部および基端部を有しており、各末端部が上記フレームオープンループの一端に連結された、２つのアームと、
をさらに備えており、
フィルタシャフトの末端部が、片持ち梁形態で、ループ長さのほぼ中央に連結されており、上記フレームのアームがシャフトに沿って位置しており、
使用において、アームが末端側へと押されるか、基端部側へと引かれることで、フレームが導入される血管に適合するようフレームループが調節される、請求項４記載のモジュラー濾過装置。
【請求項２５】  フレームの上記アームが第１弾性を有する材料で作られており、上記ループが第２弾性を有する材料で作られており、
第１弾性が第２弾性よりも小さい、請求項２４記載のモジュラー濾過装置。
【請求項２６】  上記ループがスプリングケーブルから作られている、請求項２４記載のモジュラー濾過装置。
【請求項２７】  上記フレームが、開口の両側に配置された端部と、両端部間の長さと、を有するオープンループであって、基端部領域と、末端部領域と、基端部領域から末端部領域の開口へ至る直径と、当該直径の各側に位置する左右のセグメントと、を有するオープンループと、
第１のアームおよび第２のアームであって、各アームが基端部および末端部を備え、両末端部が上記オープンループの一端に連結され、両アームは、上記ループ直径に沿って基端側へと片持ち梁状に延在している、第１のアームおよび第２のアームと、
をさらに備え、
上記フィルタシャフトは、ループの基端部領域に回動可能に連結された末端部領域を備え、当該シャフトはさらに、上記基端部の開口から末端部の開口まで延びる内腔部をさらに備えており、当該末端部の開口は、上記フィルタアームの基端部をスライド可能に受け入れ、
各フィルタアームの両基端部は、フィルタシャフトの末端部開口内にスライド挿入され、シャフト内腔部を貫通してシャフト基端部から出ることができ、
使用において、フィルタフレームの基端部が、基端側へ引かれるか、末端側へ押されるかして調節され、これにより、ループの直径が小さくなったり大きくなったりし、これにより、ループの各半分がシャフト周囲で半径方向に回動し、フレームが導入される血管のサイズに適合するように当該各半分が調節される、請求項４記載のモジュラー濾過装置。
【請求項２８】  上記フレームが、
第１のセグメントおよび第２のセグメントであって、各セグメントが、比較的直線状の基端部と、およそ半円形の末端部と、基端部の開口から末端部の開口まで延びる内腔部と、を備えており、各セグメントは、直線状の基端部が互いに整合され、末端部が互いに離れるように湾曲してほぼ円形を構成することとなるように配置された、第１のセグメントおよび第２のセグメントと、
第１セグメントの基端部にスライド挿入され、第１セグメントの末端部から突出し、第２セグメントの末端部にスライド挿入され、第２セグメントの基端部から突出する、ワイヤと、
をさらに備えており、
使用において、２つのセグメントの基端部よりも基端側に位置するワイヤ端部が、末端側へ押されるか、基端側へ引かれるかすることで、２つのセグメントの半円形端部が押し離されるか、引き寄せられるかして、フレームが導入される血管に適合するようにフレームのループが調節される、請求項４記載のモジュラー濾過装置。
【請求項２９】  上記フレームが、
上記開口の両側に配置された端部と、両端部間の長さと、を有するオープンループと、
オープンループ長さのほぼ中央に配置されたヒンジと、
それぞれが中央ヒンジとループ端部との間に位置する、２つのヒンジと、
それぞれが基端部および末端部を有する２つのアームであって、各末端部が上記オープンループの一端にヒンジ連結された、２つのアームと、
をさらに備えており、
フィルタシャフトの末端部が、片持ち梁形態で、ループ中央に連結されており、当該シャフトに沿ってフレームのアームが位置しており、
使用において、上記５つのヒンジのそれぞれが畳まれたり伸びたりするときに、上記アームが末端側へ押されるか、基端側へ引かれるかして、ループが導入される血管に適合するようにフレームループのサイズが調節される、請求項４記載のモジュラー濾過装置。
【請求項３０】  上記フィルタが、
複数の三角形状のフィルタメッシュセグメントであって、各セグメントが、頂点、底辺、両側部を備えており、各頂点が互いに連結され、各側部が隣接するセグメントの側部に連結されて錐形態を構成し、当該錐形態は、各底辺が引き込まれた収縮形態と、各底辺が離れるように拡がった拡張状態と、の間で調節可能である、複数の三角形状のフィルタメッシュセグメントと、
それぞれが基端部および末端部を有し、各端部がセグメントの底辺に連結された、複数のワイヤと、
をさらに備えており、
上記シャフトが、
基端部の開口から末端部の開口まで延びる内腔部と、
湾曲した末端部領域であって、上記末端部の開口が収縮状態にある上記フィルタをスライド可能に受け入れる、末端部領域と、
をさらに備えており、
各ワイヤの各末端部がシャフトの末端部開口にスライド挿入され、シャフト内腔部を貫通して、シャフト基端部の開口から突出し、
使用において、ワイヤの基端部が末端側へ押されるか、基端側へ引かれるかして、フィルタセグメントが拡張したり収縮したりして、これにより、フィルタが導入される血管サイズに適合するように調節される、請求項４記載のモジュラー濾過装置。
【請求項３１】  上記フィルタが、
複数の三角形状のフィルタメッシュセグメントと、
複数のストラットであって、各ストラットが、頂点、穴を有する底辺、両側部を備えており、各頂点が互いに連結され、各側部が隣接するメッシュセグメントの側部に連結されて錐形態を構成し、当該錐形態は、各底辺が互いに引き込まれた収縮形態と、各底辺が離れるように拡がった拡張状態と、の間で調節可能である、複数のストラットと、
両端を有し、上記ストラットの各穴に通されたワイヤと、
をさらに備えており、
上記シャフトが、上記基端部の開口から末端部の開口まで延びる内腔部であって、当該末端部開口が収縮状態にある上記フィルタをスライド可能に受け入れる、内腔部をさらに備えており、
ワイヤの各端部がシャフトの末端部領域内にスライド挿入され、シャフト内腔部を貫通して、基端部の開口から突出し、
使用において、ワイヤの端部が末端側へ押されるか、基端側へ引かれるかして、メッシュセグメントが拡張したり収縮したりして、これにより、濾過装置が挿入または除去されて、当該装置を拡張して調節し、フィルタが導入される血管サイズに適合するように調節される、請求項４記載のモジュラー濾過装置。
【請求項３２】  上記フィルタメッシュが、頂点および内表面を有する全体的に細長い円錐形状である、請求項４記載のモジュラー濾過装置。
【請求項３３】  フィルタメッシュを閉塞してなり内表面を有するサックをさらに備えており、当該サックは、フィルタメッシュの頂点に連結されており、
使用において、塞栓物質がサックに捕獲され、後に除去される、請求項３２記載のモジュラー濾過装置。
【請求項３４】  基端部と、末端部と、基端部の開口から末端部の開口まで延びる内腔部と、を備えた細長い吸引チューブをさらに備えており、
当該基端部は吸引源に連結され、当該末端部はフィルタメッシュの内側へ挿入可能であって、
使用において、吸引チューブの基端部に負圧がかけられたとき、メッシュ内に捕獲された塞栓物質が吸引チューブ内に吸引されて除去される、請求項３２記載のモジュラー濾過装置。
【請求項３５】  基端部と、末端部と、基端部の開口から末端部の開口まで延びる内腔部と、を備えた細長い吸引チューブをさらに備えており、
当該基端部は吸引源に連結され、当該末端部はフィルタのサックの内側へ挿入可能であって、
使用において、吸引チューブの基端部に負圧がかけられたとき、サック内に捕獲された塞栓物質が吸引チューブ内に吸引されて除去される、請求項３３記載のモジュラー濾過装置。
【請求項３６】  細長いスクレーパ装置をさらに備えており、当該スクレーパ装置は、
塞栓物質をメッシュから吸引チューブの末端部に向かってかき取る末端部と、
血管外部で操作される基端部と、
を備えており、
使用において、スクレーパ装置の基端部が操作されて、末端部がメッシュ内に捕獲された塞栓物質を吸引チューブ末端部に向かってかき取り、その位置で、塞栓物質が吸引チューブ内に引き込まれてフィルタから除去される、請求項３４記載のモジュラー濾過装置。
【請求項３７】  細長いスクレーパ装置をさらに備えており、当該スクレーパ装置は、
塞栓物質をサックから吸引チューブの末端部に向かってかき取る末端部と、
血管外部で操作される基端部と、
を備えており、
使用において、スクレーパ装置の基端部が操作されて、末端部がサック内に捕獲された塞栓物質を吸引チューブ末端部に向かってかき取り、その位置で、塞栓物質が吸引チューブ内に引き込まれてフィルタから除去される、請求項３５記載のモジュラー濾過装置。
【請求項３８】  上記フィルタフレームが、基端部領域と、末端部領域と、周壁部と、を有しており、
上記フィルタが、フィルタフレームの基端部領域において、上記周壁部の一部に連結された拡大可能なシートをさらに備えている、請求項４記載のモジュラー濾過装置。
【請求項３９】  上記フィルタメッシュが、基端部領域と、頂点を有する末端部領域と、を備えており、
フィルタメッシュは上記基端部領域において閉塞されており、
使用において、基端側のメッシュ閉塞領域によって、血液が末端部領域を通過して流れ、これにより、塞栓物質がフィルタメッシュ頂点に捕獲される、請求項４記載のモジュラー濾過装置。
【請求項４０】  上記フィルタシャフトが基端部領域および末端部を有しており、当該シャフトは、末端部の開口と、基端部領域の開口と、その間に延びる内腔部と、をさらに備えており、
上記カートリッジが基端部領域を備え、当該カートリッジは、基端部領域にベントホールをさらに備え、
濾過装置は、
開口を備えた基端部と、開口を備えた末端部と、その間に延びる内腔部と、を有するカートリッジキャップであって、当該キャップは、カートリッジの基端部領域をシール可能に受け入れ、末端部の開口は、カートリッジに対してシールされずカートリッジのベントホールと位置合わせされた細長い領域を備え、当該細長い領域は、血液がカートリッジのベントホールから逃げることを許容する、カートリッジキャップと、
シャフトの基端部領域において、上記開口の基端側に位置するシャフト外表面の周囲に配置されたシールと、
をさらに備えており、
使用において、上記シールがカートリッジのベントホールよりも基端側にあるとき、シャフトの基端部領域の開口を通して、流体がシャフト内腔部から逃げ、カートリッジのベントホールを通過して、カートリッジキャップ末端部の開口の拡大された領域から流出し、
上記シールがベントホールよりも末端側にあるとき、いかなる流体もベントホールを通して逃げない、請求項５記載のモジュラー濾過装置。
【請求項４１】  上記シャフトが、基端部領域と、開口を備えた基端部と、開口を備えた末端部と、その間に延びる内腔部と、を備え、
上記モジュラー濾過装置は、
基端部領域と、開口を備えた基端部と、開口を備えた末端部と、その間に延びる内腔部と、を備えるカートリッジスリーブであって、当該カートリッジスリーブは、チューブ状カートリッジをシール可能に受け入れ、チューブ状カートリッジの基端部は、カートリッジスリーブの基端部領域よりも末端側に位置する、カートリッジスリーブと、
シャフトの基端部領域の外表面周囲に配置されたシールであって、当該シールは、チューブ状カートリッジの基端部よりも基端側に位置し、カートリッジスリーブの基端部よりも末端側に位置しており、カートリッジスリーブは、シールの領域において、上記シャフトをスライド可能かつシール可能に受け入れる、シールと、
基端部開口と、末端部開口と、その間に延びる内腔部と、を備えるシャフトキャップであって、末端部開口は、シャフトの基端部をシール可能に受け入れ、基端部開口は、プラグをシール可能に受け入れる、シャフトキャップと、
シャフトキャップの基端部にシール可能に挿入されるガス透過プラグと、
をさらに備えており、
使用において、シャフトの基端部の開口を通して、流体がシャフト内腔部から逃げ、シャフトキャップ内を通過し、
ガス透過プラグを通してガスがシャフトキャップから逃げるが、ガス透過プラグは流体を通さない、請求項５記載のモジュラー濾過装置。
【請求項４２】  血管内の塞栓物質を捕獲するモジュラー濾過装置を受け入れることのできるライナ付動脈カニューレであって、
外表面、内表面、動脈内に挿入される湾曲した末端部、バイパス酸素付加装置からの血液を受け入れる基端部、基端部から末端部の出口まで延びる内腔部、およびカニューレ末端部の湾曲部に設けた開口を有するカニューレと、
カニューレ外表面に設けられてモジュラー濾過装置を受け入れるポートであって、基端部開口、および基端部開口からカニューレに沿って上記カニューレ末端部の湾曲部開口まで末端側へと延びる流路を有するポートと、
可撓性があり血液を通さないカニューレライナであって、カニューレからモジュラー濾過装置が取り外されたとき、カニューレ内表面に適合して上記カニューレ末端部の湾曲部開口を覆うカニューレライナと、を備えており、
使用に際して、モジュラー濾過装置が上記ポートを通して挿入されたとき、カニューレライナはカニューレ末端部の湾曲部開口から離れるように圧縮され、モジュラー濾過装置が湾曲部開口を通過するのを許容するとともに、同湾曲部開口を血液が通過することを防止する、ライナ付動脈カニューレ。
【請求項４３】  血管内の塞栓物質を捕獲するモジュラー濾過装置を受け入れることのできる中空の血管挿入装置と、
当該中空の血管挿入装置内に挿入される上記モジュラー濾過装置と、
を備えた血液濾過システムであって、
上記中空の血管挿入装置が有する細長いチューブは、外表面と、末端部領域と、血管内に挿入される末端部と、基端部と、その間に延びる内腔部と、を備え、
上記モジュラー濾過装置は、
基端部および末端部を有するシャフトと、
シャフト末端部付近に配置されて収縮状態と拡張状態との間で変形可能なアジャスタブルフレームと、
上記アジャスタブルフレームが血管の内腔部に自動的に自己適合するように、当該アジャスタブルフレームと連動してそのサイズを変更するフレームサイズ調節機構と、
アジャスタブルフレームに取り付けられて塞栓物質を捕獲するフィルタメッシュと、を備え、
上記モジュラー濾過装置は、上記中空の血管挿入装置に取外可能に挿入でき、中空の血管挿入装置を通して血管内に挿入されるとき、上記フレームサイズ調節機構がアジャスタブルフィルタフレームの直径を調節して血管内腔に適合させる、血液濾過システム。
【請求項４４】  上記中空の血管挿入装置は、当該装置の末端部領域付近に配置されたフランジをさらに備える、請求項４３記載の血液濾過システム。
【請求項４５】  上記中空の血管挿入装置が動脈カニューレであって、当該カニューレが、
バイパス酸素付加装置からの血液を受け入れる基端部と、
上記モジュラー濾過装置を受け入れるポートと、
をさらに備えている、請求項４３記載の血液濾過システム。
【請求項４６】  上記中空の血管挿入装置が誘導子である、請求項４３記載の血液濾過システム。
【請求項４７】  上記モジュラー濾過装置が、上記シャフトの末端部を受け入れるとともに、アジャスタブルフレームおよび該アジャスタブルフレームに取り付けられたフィルタメッシュを保護するチューブ状カートリッジをさらに備えており、当該チューブ状カートリッジは、中空の血管挿入装置に取り外し可能に挿入できる、請求項４３記載の血液濾過システム。
【請求項４８】  上記モジュラー濾過装置がチューブ状のフィルタカートリッジをさらに備えており、
当該フィルタカートリッジは、中空の血管挿入装置にスライド挿入され、
当該チューブ状のカートリッジは、シャフトの末端部をスライド可能に受け入れるとともに、アジャスタブルフレームおよび該アジャスタブルフレームに取り付けられたフィルタメッシュを保護し、
当該チューブ状のカートリッジは、末端部領域と、外表面と、末端部領域においてチューブ状のカートリッジの外表面に連結されたガイド機構と、を備えており、
上記中空の血管挿入装置は、基端部と、末端部と、基端部領域と、周壁と、基端部の開口から末端部の開口まで延びる内腔部と、を備えており、
当該血管挿入装置は、上記チューブ状のカートリッジが中空の血管挿入装置にスライド可能に挿入されたとき、チューブ状のカートリッジのガイド機構を受け入れるスロットを基端部領域にさらに備えており、
使用において、チューブ状カートリッジが上記血管挿入装置内に前進するとき、チューブ状のカートリッジのガイド機構が、中空の血管挿入装置内のスロットと整合して係合して、チューブ状のカートリッジを中空の血管挿入装置に位置合わせするまで、チューブ状のカートリッジが回転する、請求項４３記載の血液濾過システム。
【請求項４９】  上記ガイド機構が、カートリッジ外表面から半径方向に突出するガイドピンである、請求項４８記載の血液濾過システム。
【請求項５０】  上記ガイド機構が、チューブ状カートリッジの外表面に対して平行に軸方向に突出するガイドタブである、請求項４８記載の血液濾過システム。
【請求項５１】  上記中空の血管挿入装置が、動脈カニューレのサイドポートである、請求項４８記載の血液濾過システム。
【請求項５２】  上記中空の血管挿入装置が、誘導子である、請求項４８記載の血液濾過システム。
【請求項５３】  上記血管挿入装置上のスロットがＬ字状であって、当該スロットは、
基端部領域の開口から軸方向に延在する第１領域と、
第１領域に対してほぼ直交に延在し、血管挿入装置の周壁上で所定距離で終結するまで部分的に延在する第２領域と、
を備えており、
使用において、カートリッジが血管挿入装置内に前進するとき、カートリッジのガイドピンが、スロットの第１領域の開口端と整合して係合するまでカートリッジが回転し、
カートリッジは、回転圧の下で、スロットの第２領域に達するまでさらに前進し、当該回転圧によって、ガイドピンがスロットの所定距離の終結端まで前進して、整合状態をロックする、請求項４９記載の血液濾過システム。
【請求項５４】  上記モジュラー濾過装置がチューブ状フィルタカートリッジをさらに備えており、
当該カートリッジは、中空の血管挿入装置内にスライド挿入されることが可能で、
当該カートリッジは、フィルタシャフトの末端部をスライド可能に受け入れて、アジャスタブルフレームおよび該アジャスタブルフレームに取り付けられたメッシュを保護し、
当該カートリッジは、ＢＮＣ同軸コネクタのプラグ部が連結された末端部領域を有しており、
上記血管挿入装置は、ＢＮＣ同軸コネクタのソケット部が連結された基端部領域を有しており、
当該ソケット部は、カートリッジの上記プラグ部を受け入れ入て係合し、
使用において、フィルタカートリッジのＢＮＣプラグ部が血管挿入装置のＢＮＣソケット部と係合するまで、カートリッジが回転しながらポート内を前進し、これにより、カートリッジを位置合わせして、その位置にロックする、請求項４８記載の血液濾過システム。
【請求項５５】  上記チューブ状カートリッジが、基端部と末端部とを有する細長部材をさらに備えており、当該基端部は、チューブ状カートリッジの末端部領域の外表面に連結され、当該末端部は、フック部を有しており、
上記中空の血管挿入装置は、基端部の開口に迫り出す棚部をさらに備えており、当該棚部は、上記フック部と係合し、
使用において、チューブ状カートリッジの細長部材が操作されて、中空の血管挿入装置の棚部の内側でフック部をスライドさせて、チューブ状カートリッジを中空の血管挿入装置にロックし、
係合後は、上記細長部材が操作されて、フック部を棚部から外して、チューブ状カートリッジの中空の血管挿入装置に対するロックを解除する、請求項４８記載の血液濾過システム。
【請求項５６】  上記細長部材は、第１の細長部材であって、
上記血液濾過システムは、基端部および末端部を有する第２の細長部材をさらに備えており、当該基端部は、上記チューブ状カートリッジの末端部領域の外表面に連結され、当該末端部は、フック部を備える、請求項５５記載の血液濾過システム。
【請求項５７】  血管内の血液から塞栓物質を一時的に濾過するためのシステムであって、当該システムは、
モジュラー濾過装置を受け入れる基端部と、動脈内に挿入される末端部と、を備えた血管挿入装置と、
血管挿入装置にスライド挿入可能なモジュラー濾過装置であって、収縮および拡張が可能なアジャスタブルフレームと、フレームのサイズを変更するサイズ調節機構と、基端部および末端部を有するシャフトと、そこに取り付けられたフィルタメッシュと、を備えたモジュラー濾過装置と、
血管挿入装置の末端部を血管内に導入するための手段と、
モジュラー濾過装置を血管挿入装置内に挿入するための手段と、
アジャスタブルフィルタを血管挿入装置を通して血管内へと前進させるための手段と、
サイズ調節機構を調節して、フレームを血管サイズに適合させるための手段と、
アジャスタブルフィルタを血管から取り外すための手段と、を含み、
拡張可能な上記フィルタが血管から取り外される前に、塞栓物質が生成され濾過される、システム。
【請求項５８】  上記血管挿入装置が動脈カニューレであって、当該カニューレは、
バイパス酸素付加装置からの血液を受け入れる基端部と、基端部から末端部まで延びる内腔部と、モジュラー濾過装置を受け入れるポートと、を備える、請求項５７記載のシステム。
【請求項５９】  上記モジュラー濾過装置をポートから取り外すための手段をさらに備える、請求項５８記載のシステム。
【請求項６０】  モジュラー濾過装置を取り外した後で、カニューレのポート内に第２のモジュラー濾過装置を挿入するための手段をさらに備える、請求項５９記載のシステム。
【請求項６１】  上記血管挿入装置が誘導子である、請求項５７記載のシステム。
【請求項６２】  上記モジュラー濾過装置が、フィルタシャフト、フレーム、および該フレームに取り付けられたメッシュをスライド可能に受け入れるチューブ状カートリッジをさらに備えており、
当該カートリッジは、血管挿入装置内にスライド可能に挿入できる、請求項５７記載のシステム。
【請求項６３】  血管内の血液から塞栓物質を一時的に濾過し吸引するためのシステムであって、当該システムは、
モジュラー濾過装置をスライド可能に受け入れる基端部と、動脈内に挿入される末端部と、を備えた中空の血管挿入装置と、
挿入装置にスライド挿入可能なモジュラー濾過装置であって、収縮状態および拡張状態を呈することが可能なアジャスタブルフィルタフレームと；基端部、末端部、および基端部にある開口から末端部にある開口まで延びる内腔部を有するシャフトと；該シャフトに取り付けられ内表面を有するフィルタメッシュと；を備えたモジュラー濾過装置と、
基端部、末端部、および基端部にある開口から末端部にある開口まで延びる内腔部を有する、細長い吸引チューブであって、当該基端部は吸引源に接続され、当該末端部は上記フィルタシャフトの基端部にスライド挿入される、吸引チューブと、
挿入装置の末端部を血管内に導入するための手段と、
モジュラー濾過装置を挿入装置内に挿入するための手段と、
アジャスタブルフィルタを挿入装置を通して血管内へと前進させるための手段と、
血管内でアジャスタブルフィルタを拡げるための手段と、
フィルタメッシュの内表面近傍に吸引チューブの末端部が到達するまで、フィルタのシャフトを通して、吸引チューブををスライド挿入するための手段と、
吸引チューブの基端部に負圧を作用させ、塞栓物質をメッシュ内表面からチューブ内へと吸引するための手段と、
吸引チューブを血管から取り外すための手段と、を含み、
吸引チューブがシャフトから取り外される前に、塞栓物質が生成され除去される、システム。
【請求項６４】  上記血管挿入装置がカニューレであって、当該カニューレは、
バイパス酸素付加装置からの血液を受け入れる基端部と、基端部から末端部まで延びる内腔部と、モジュラー濾過装置を受け入れるポートと、を備える、請求項６３記載のシステム。
【請求項６５】  上記血管挿入装置が誘導子である、請求項６３記載のシステム。
【請求項６６】  吸引チューブを血管から取り外した後で、フィルタシャフト内へとメッシュの内表面付近に吸引チューブを再度挿入し、そして上記吸引を繰り返すようにさらに適合されている、請求項６３記載のシステム。
【請求項６７】  濾過装置が導入される血管の内腔部に適合するようにフレームサイズを調節するための手段をさらに含む、請求項６３記載のシステム。
【請求項６８】  中空の血管挿入装置を通して血管に挿入され、血管のサイズを測定する血管サイズ測定器具であって、当該測定器具は、血管内に挿入される血管サイズ測定シャフトを備え、
当該血管サイズ測定シャフトは、基端部と、末端部と、シャフトに沿って設けられた複数の目視可能で、距離単位を表示するマーキングと、を備え、
使用において、当該血管サイズ測定器具が血管に挿入されて、測定器具が挿入された位置とは反対側の血管内壁に上記末端部が到達するまで測定器具が前進させられ、
このとき血管壁上の挿入位置に一致する上記目視可能マーキングが、これにより、血管内へのシャフト挿入深さを表示し、これが同時に血管径を表している、血管サイズ測定器具。
【請求項６９】  上記血管サイズ測定シャフトは、血管挿入装置内にスライド挿入されることが可能で、
シャフトの末端部が血管上の挿入位置にまで前進したとき、最も末端側の可視マーキングが血管挿入装置上の表示部に一致し、
使用において、血管サイズ測定器具は、血管挿入装置内に挿入されて、当該器具が血管に挿入される領域とは反対側の血管内壁にまで当該器具の末端部が到達するまで前進し、
そのとき血管挿入装置上の表示部に一致する目視可能マーキングが、血管内に入ったシャフト深さを表示し、これが血管径を表示している、請求項６８記載の血管サイズ測定器具。
【請求項７０】  上記血管挿入装置がカニューレである、請求項６８記載の血管サイズ測定器具。
【請求項７１】  上記血管挿入装置が誘導子である、請求項６８記載の血管サイズ測定器具。
【請求項７２】  上記血管挿入装置が、上記サイズ測定シャフトをスライド可能に受け入れる中空のニードルである、請求項６８記載の血管サイズ測定器具。
【請求項７３】  上記サイズ測定シャフトの末端部が損傷を与えない先端部を備えている、請求項６８記載の血管サイズ測定器具。
【請求項７４】  チューブ状のサイズ測定カートリッジをさらに備えており、
当該サイズ測定カートリッジは、サイズ測定シャフトの末端部をスライド可能に受け入れ、
当該サイズ測定カートリッジは、血管挿入装置内に取外可能に挿入できるとともに、外表面を有している、請求項６８記載の血管サイズ測定器具。
【請求項７５】  上記チューブ状のサイズ測定カートリッジは、サイズ測定シャフトとカートリッジが挿入される血管挿入装置との間に止血シールを提供する、請求項７４記載の血管サイズ測定器具。
【請求項７６】  上記カートリッジが表示部を備えており、
当該表示部は、血管挿入装置が血管に挿入される位置にまでサイズ測定シャフトの末端部が前進したとき、当該シャフト上の可視マーキングに一致する、請求項７４記載の血管サイズ測定器具。
【請求項７７】  上記カートリッジは、距離を表示する複数の可視マーキングと、サイズ測定シャフト上の可視表示部を見ることのできる透明領域と、をさらに備えており、
使用において、血管サイズ測定器具が血管挿入装置内に挿入され、血管挿入装置が挿入される血管上の位置とは反対側の血管内壁に末端部が到達するまで血管サイズ測定器具が前進し、
そのときカートリッジ上の目視可能マーキングに一致するサイズ測定シャフト上の可視表示部が血管内に入ったシャフト深さを表示し、これが血管径を表示している、請求項７４記載の血管サイズ測定器具。
【請求項７８】  収縮状態と拡張状態との間で変形できるスプリングをさらに備えており、当該スプリングは、血管サイズ測定シャフトに連結された第１端部と、サイズ測定カートリッジに連結された第２端部と、を備えており、
使用において、スプリングが収縮し、シャフト基端部に圧力が加えられることで、血管上の血管挿入装置が挿入される位置とは反対側の血管内壁にシャフト末端部が触れるまで、サイズ測定シャフトが血管内腔部内に前進し、
表示部に一致した目視可能マーキングが読み取られた後、シャフト基端部に加えられた圧力が解放され、スプリングが復元して、サイズ測定シャフトが血管内腔部から引き抜かれる、請求項７７記載の血管サイズ測定器具。
【請求項７９】  サイズが測定される上記血管が動脈である、請求項６８記載の血管サイズ測定器具。
【請求項８０】  血管の大凡の径を測定するための血管サイズ測定器具の作動を制御する方法であって、該血管サイズ測定器具は
血管内に挿入される末端部と、血管サイズ測定器具を受け入れる基端部と、基端部から末端部まで延びる内腔部と、所定位置に配置された表示マーキングと、を備える、血管挿入装置と、
血管挿入装置にスライド挿入可能なシャフトであって、基端部と、末端部と、シャフトに沿って設けられた目視可能で、距離単位を表示する複数のマーキングと、を有するシャフトを備える血管サイズ測定器具であって、最も末端部側の目視可能マーキングは、シャフトの末端部が血管上のシャフト挿入位置にまで前進したとき、血管挿入装置上の上記表示マーキングと一致する、血管サイズ測定器具と、
を備え、
該方法は、以下の工程：
末端部が該血管内に挿入されている血管挿入装置の基端部内に、血管サイズ測定器具の末端部をスライド挿入する工程と、
血管サイズ測定器具上の最も基端部側のマーキングが血管挿入装置上の表示マーキングに一致するまで、血管サイズ測定器具を血管挿入装置内で前進させて、血管サイズ測定器具の末端部が丁度血管に挿入されたところであることを表示する工程と、
血管サイズ測定器具の末端部が血管への挿入位置とは反対側の血管壁に到達するまで、血管サイズ測定器具を前進させる工程と、
どの目視可能マーキングが血管挿入装置上の表示マーキングと一致しているかを読み取り、当該目視可能マーキングが血管内へのシャフト挿入深さを表示し、これが同時に血管径を表している工程とを含む、方法、
を含む方法。
【請求項８１】  血管内に入った器具深さを読み取る上記工程の後で、血管サイズ測定器具の基端部が基端側へと引っ張られて、当該器具を血管挿入装置からスライドさせて取り外す工程をさらに含む、請求項８０記載の方法。
【請求項８２】  上記血管サイズ測定器具が、サイズ測定シャフトの末端部をスライド可能に受け入れ、血管挿入装置内に取外可能に挿入でき、距離を表示する複数の可視マーキングと、サイズ測定シャフト上の可視表示部を見てカートリッジ上の可視マーキングと比較することのできる透明領域と、を備えたチューブ状のサイズ測定カートリッジ；と、収縮状態と拡張状態との間で変形できるスプリングであって、血管サイズ測定シャフトに連結された１つの端部と、サイズ測定カートリッジに連結された他の端部と、を備えたスプリング；と、
該シャフトを血管内腔部へと前進させるように、サイズ測定シャフト基端部に加えられる圧力を制御する圧力発生ユニットであって、血管上の血管挿入装置が挿入される位置とは反対側の血管内壁にシャフト末端部が触れるまでスプリングを収縮させる、圧力発生ユニットと、
をさらに備え、
上記方法が、以下：
シャフト基端部に加えた圧力を維持しつつ、サイズ測定カートリッジ上のどの可視マーキングがシャフト上のマークと一致しているのかを読み取る工程と、
シャフト基端部に加えた圧力を解放し、スプリングを復元させて、サイズ測定シャフトを血管内腔部から引き抜く工程と、
をさらに含む、
請求項８０記載の方法。
【請求項８３】  上記血管サイズ測定器具を基端側へと引いて、スライドさせてカニューレから取り外す工程をさらに含む、請求項８２記載の方法。
【請求項８４】  中空の血管挿入装置の内腔部内に取外可能に挿入され、当該血管挿入装置の挿入端部が血管内に挿入されるときの血管損傷を低減する、拡張可能な栓子であって、当該栓子は、
基端部と、テーパ状の末端部と、末端部領域と、外表面と、を備えた栓子シャフトと、
栓子シャフトの末端部領域の周囲に同心状に間隔をおいて配置された複数のコレットセグメントであって、各セグメントが収縮状態と拡張状態との間で変形でき、各セグメントが、栓子シャフトの外表面に適合する内表面と、外表面と、栓子シャフトの末端部領域に連結された基端部と、栓子シャフトの外表面から離れるように拡張可能で外側に拡がる細長部材と、を備え、当該細長部材は、上記内表面と外表面との間の第１厚みを有し、当該細長部材は、コレットセグメントの末端部においてコレットヘッドを形成し、当該コレットヘッドは、基端部と末端部とを備え、コレットヘッドの基端部は、第２厚みへと徐々に厚くなり、当該第２厚みは、上記細長部材の第１厚みよりも厚くて、細長部材がコレットヘッドと連結される領域に凹部を構成し、コレットヘッドの末端部は、第３厚みへとテーパが付けられ、当該第３厚みは、コレットヘッド基端部の第２厚みよりも小さい、複数のコレットセグメントと、
を備えており、
使用において、中空の血管挿入装置内に栓子がスライド挿入され、当該装置の末端部の開口部を通過すると、コレットセグメントが外側に拡がり、当該装置の挿入端部がコレットヘッド後方の凹部に位置することでコレットセグメントに覆われ、その結果、栓子シャフトの末端部領域とコレットヘッドとが全体的にテーパ形状を構成して、血管挿入装置の血管内への導入を容易にする、拡張可能な栓子。
【請求項８５】  上記栓子シャフトが第１直径を有し、
上記複数のコレットセグメントは、拡張状態にあるとき全体として、コレットヘッド末端部において第２直径を有し、
上記栓子シャフトは、コレットヘッドの末端部を超えて延在する円錐形先端部をさらに有しており、
当該円錐形先端部は、丸められた末端頂部と、基端側基部と、を有しており、当該基端側基部は、第３直径を有し、
当該基端側基部の第３直径は、上記栓子シャフトの第１直径よりも大きくて、上記コレットセグメントの第２直径にほぼ等しく、
栓子は、円錐形先端部の末端頂部からコレットヘッドの基端部までスムースにテーパが付けられている、請求項８４記載の拡張可能な栓子。
【請求項８６】  ４つのコレットセグメントを備える、請求項８４記載の拡張可能な栓子。
【請求項８７】  上記中空の血管挿入装置がカニューレである、請求項８４記載の拡張可能な栓子。
【請求項８８】  中空の血管挿入装置の内腔部内に取外可能に挿入され、当該血管挿入装置の挿入端部が血管内に挿入されるときの血管損傷を低減する、拡張可能な栓子であって、当該栓子は、
基端部と、テーパ状の末端部と、末端部領域と、外表面と、を備えた栓子シャフトと、
栓子シャフトの末端部領域の周囲に同心状に間隔をおいて配置された複数のヘッドセグメントであって、各ヘッドセグメントが収縮状態と拡張状態との間で変形でき、各セグメントが、栓子シャフトの外表面に適合する内表面と、外表面と、栓子シャフトの末端部に連結された末端部と、栓子シャフトの外表面から離れるように拡張可能で外側に拡がるテーパ状の基端部と、を備える、複数のヘッドセグメントと、
を備えており、
使用において、中空の血管挿入装置内に栓子がスライド挿入され、当該装置の末端部の開口部を通過すると、ヘッドセグメントの基端部が外側に拡がって全体的なテーパ形状を構成し、血管挿入装置の血管内への導入を容易にする、栓子。
【請求項８９】  拡張可能な栓子を使用して、中空の血管挿入装置が血管内に導入される際の損傷を低減しつつ、血管挿入装置を血管内に導入するためのシステムであって、
血管内に挿入される末端部と、栓子をスライド可能に受け入れる基端部と、基端部から末端部まで延びる内腔部と、を備える中空の血管挿入装置と、
テーパ状の末端部を有する栓子シャフトと、栓子シャフトの末端部領域の周囲に同心状に間隔をおいて配置された複数のコレットセグメントと、を備えた拡張可能な栓子であって、各セグメントが収縮状態と拡張状態との間で変形でき、各セグメントが、栓子シャフトの末端部領域に連結された基端部と、栓子シャフトの外表面から離れるように拡張可能で外側に拡がる細長部材と、コレットセグメントの末端部に設けられたコレットヘッドと、を備え、コレットヘッドの基端部は、上記細長部材の厚みよりも厚くなるように徐々に厚くされて、細長部材がコレットヘッドと連結される領域に凹部を構成し、コレットヘッドの末端部は、コレットヘッド基端部の厚みよりも小さくなるようにテーパが付けられ、コレットセグメントが拡張状態となったとき、コレットヘッドの末端部から基端部にかけて栓子がスムースなテーパ状となる、拡張可能な栓子と、
血管挿入装置の基端部内に栓子をスライド挿入して、栓子のコレットセグメントを収縮状態とするための手段と、
栓子のコレットヘッドが血管挿入装置の末端部を丁度超えて、コレットセグメントが拡張状態へと拡がり、血管挿入装置の末端部がコレットヘッド後方に形成された凹部内に位置するまで、血管挿入装置の内腔部内で栓子を前進させるための手段と、
血管挿入装置の末端部が血管内に導入されるまで、血管の切口内で、血管挿入装置および栓子を前進させるための手段と、
を備えるシステム。
【請求項９０】  血管挿入装置および栓子を血管内に前進させた後で、
栓子シャフトの基端部を引っ張って、これにより、上記徐々に厚くなる各コレットヘッドの基端部を、血管挿入装置の末端部の内側でスライドさせて、これにより、コレットセグメントを収縮状態へと付勢するための手段と、
血管挿入装置から栓子をスライドさせて取り外すための手段と、
をさらに備えるシステムである、
請求項８９記載のシステム。
【請求項９１】  上記チューブ状カートリッジと、当該チューブ状カートリッジが挿入される中空の血管挿入装置と、の間に止血シールをさらに備える、請求項２記載のモジュラー濾過装置。
【請求項９２】  上記チューブ状カートリッジと、当該チューブ状カートリッジが挿入される中空の血管挿入装置と、の間に止血シールをさらに備える、請求項５記載のモジュラー濾過装置。
【請求項９３】  上記シャフトが外表面を有しており、当該シャフトは、外表面からの突出部をさらに備えており、
シャフトの外表面の形状は、カートリッジの内腔部の形状に適合しており、
カートリッジがシャフトを受け入れるとき、突出部が突出部に係合して、カートリッジ内でのシャフトの回転を禁止する、請求項６記載のモジュラー濾過装置。
【請求項９４】  上記シャフトキャップがノブである、請求項４１記載のモジュラー濾過装置。